(57)【特許請求の範囲】
【請求項１】
撮像デバイス、表示デバイスおよび入力デバイスを備える電子機器と、
印刷ジョブを実行する画像形成装置と、
複数の前記画像形成装置を管理するサーバーと
を備え、
前記サーバーは、前記画像形成装置によって実行される前記印刷ジョブを示すジョブ情報を、前記画像形成装置毎に記憶し、
前記ジョブ情報は、前記画像形成装置による実行の予定の順番と、利用者の識別情報と、１部当たりの印刷枚数と、部数とを前記印刷ジョブ毎に含み、
前記電子機器は、
前記撮像デバイスの撮影範囲内に存在する前記画像形成装置の前記ジョブ情報を前記サーバーから取得するジョブ情報取得手段と、
前記ジョブ情報取得手段によって取得された前記ジョブ情報に基づくジョブ情報画像を前記撮像デバイスによる撮影画像において前記画像形成装置に対応する位置に合成した合成画像を前記表示デバイスに表示させる拡張現実手段と、
前記拡張現実手段によって前記表示デバイスに表示される前記ジョブ情報画像に対して前記入力デバイスによって入力された操作に応じて前記印刷ジョブを複数の前記画像形成装置の間で移動させることを前記サーバーに要求するジョブ移動手段とを備え、
前記拡張現実手段は、特定の利用者の前記識別情報が関連付けられている前記印刷ジョブが前記ジョブ情報取得手段によって取得された前記ジョブ情報に含まれる場合、このジョブ情報において、この印刷ジョブより前に前記画像形成装置によって実行される予定の前記印刷ジョブの実行時間を、前記１部当たりの印刷枚数と、前記部数とを掛け合わせた総印刷枚数を前記画像形成装置の印刷速度で割ることによって算出し、算出した前記実行時間が特定の時間以上であるとき、前記特定の利用者の前記識別情報が関連付けられている前記印刷ジョブを他の前記印刷ジョブより大きくした前記ジョブ情報画像を前記表示デバイスに表示させ、
前記ジョブ移動手段は、前記特定の利用者の前記印刷ジョブを前記ジョブ情報画像から抜き出す操作が前記入力デバイスに入力された場合に、このジョブ情報画像に対応する前記画像形成装置における、この印刷ジョブの抜き出しを前記サーバーに要求し、抜き出した前記印刷ジョブを前記ジョブ情報画像に挿入する操作が前記入力デバイスに入力された場合に、このジョブ情報画像に対応する前記画像形成装置における、この印刷ジョブの挿入を前記サーバーに要求することを特徴とする画像形成システム。
【請求項２】
前記画像形成装置の印刷速度は、前記サーバーによって前記画像形成装置毎に管理されていて前記サーバーから前記電子機器に送信されることを特徴とする請求項１に記載の画像形成システム。
【請求項３】
前記画像形成装置の印刷速度は、前記電子機器によって前記画像形成装置毎に管理されていることを特徴とする請求項１に記載の画像形成システム。
【請求項４】
前記拡張現実手段は、前記画像形成装置による実行の予定の前記印刷ジョブが複数存在する場合、前記表示デバイスに表示させる前記ジョブ情報画像において、前記画像形成装置による実行の予定の複数の前記印刷ジョブにそれぞれ対応した複数の欄を、前記画像形成装置による実行の予定の順番に応じて配置させることを特徴とする請求項１から請求項３までの何れかに記載の画像形成システム。
【請求項５】
前記拡張現実手段は、特定の利用者の前記識別情報が関連付けられている前記印刷ジョブが前記ジョブ情報取得手段によって取得された前記ジョブ情報に含まれる場合、前記実行時間が特定の時間以上であるとき、前記特定の利用者の前記識別情報が関連付けられている前記印刷ジョブを他の前記印刷ジョブより大きくし、前記特定の利用者の前記識別情報が関連付けられている前記印刷ジョブの背景色を他の前記印刷ジョブの背景色と異ならせ、前記特定の利用者の前記識別情報が関連付けられている前記印刷ジョブであることを示す文字列を含めた前記ジョブ情報画像を前記表示デバイスに表示させることを特徴とする請求項１から請求項４までの何れかに記載の画像形成システム。
【請求項６】
前記入力デバイスは、前記表示デバイスとともにタッチパネルを構成し、
前記印刷ジョブを前記ジョブ情報画像から抜き出す操作は、前記ジョブ情報画像において前記印刷ジョブに対応した前記欄に触れた後、スワイプすることによって、このジョブ情報画像からこの欄を抜き出す操作であり、
前記印刷ジョブを前記ジョブ情報画像に挿入する操作は、抜き出した前記欄に触れた後、スワイプすることによって、この欄を前記ジョブ情報画像に挿入する操作であることを特徴とする請求項４に記載の画像形成システム。
【請求項７】
印刷ジョブを実行する画像形成装置を複数管理するサーバーに接続され、撮像デバイス、表示デバイスおよび入力デバイスを備える電子機器によって実行される拡張現実プログラムであって、
前記サーバーは、前記画像形成装置によって実行される前記印刷ジョブを示すジョブ情報を、前記画像形成装置毎に記憶し、
前記ジョブ情報は、前記画像形成装置による実行の予定の順番と、利用者の識別情報と、１部当たりの印刷枚数と、部数とを前記印刷ジョブ毎に含み、
前記拡張現実プログラムは、
前記撮像デバイスの撮影範囲内に存在する前記画像形成装置の前記ジョブ情報を前記サーバーから取得するジョブ情報取得手段、
前記ジョブ情報取得手段によって取得された前記ジョブ情報に基づくジョブ情報画像を前記撮像デバイスによる撮影画像において前記画像形成装置に対応する位置に合成した合成画像を前記表示デバイスに表示させる拡張現実手段、および、
前記拡張現実手段によって前記表示デバイスに表示される前記ジョブ情報画像に対して前記入力デバイスによって入力された操作に応じて前記印刷ジョブを複数の前記画像形成装置の間で移動させることを前記サーバーに要求するジョブ移動手段として前記電子機器を機能させ、
前記拡張現実手段は、特定の利用者の前記識別情報が関連付けられている前記印刷ジョブが前記ジョブ情報取得手段によって取得された前記ジョブ情報に含まれる場合、このジョブ情報において、この印刷ジョブより前に前記画像形成装置によって実行される予定の前記印刷ジョブの実行時間を、前記１部当たりの印刷枚数と、前記部数とを掛け合わせた総印刷枚数を前記画像形成装置の印刷速度で割ることによって算出し、算出した前記実行時間が特定の時間以上であるとき、前記特定の利用者の前記識別情報が関連付けられている前記印刷ジョブを他の前記印刷ジョブより大きくした前記ジョブ情報画像を前記表示デバイスに表示させ、
前記ジョブ移動手段は、前記特定の利用者の前記印刷ジョブを前記ジョブ情報画像から抜き出す操作が前記入力デバイスに入力された場合に、このジョブ情報画像に対応する前記画像形成装置における、この印刷ジョブの抜き出しを前記サーバーに要求し、抜き出した前記印刷ジョブを前記ジョブ情報画像に挿入する操作が前記入力デバイスに入力された場合に、このジョブ情報画像に対応する前記画像形成装置における、この印刷ジョブの挿入を前記サーバーに要求することを特徴とする拡張現実プログラム。
【発明の詳細な説明】
【技術分野】
【０００１】
本発明は、撮影画像において画像形成装置に対応する位置に画像形成装置の状態を合成する画像形成システムおよび拡張現実プログラムに関する。
【背景技術】
【０００２】
従来、撮影画像において画像形成装置に対応する位置に画像形成装置の状態を合成する画像形成システムが知られている（特許文献１、２参照。）。
【先行技術文献】
【特許文献】
【０００３】
【特許文献１】特開２０１２−０２９１６４号公報
【特許文献２】特開２０１３−１６１２４６号公報
【発明の概要】
【発明が解決しようとする課題】
【０００４】
しかしながら、従来の画像形成システムにおいては、複数の画像形成装置の間で印刷ジョブを移動させることができないという問題がある。
【０００５】
そこで、本発明は、複数の画像形成装置の間で印刷ジョブを容易に移動させることができる画像形成システムおよび拡張現実プログラムを提供することを目的とする。
【課題を解決するための手段】
【０００６】
本発明の画像形成システムは、撮像デバイス、表示デバイスおよび入力デバイスを備える電子機器と、印刷ジョブを実行する画像形成装置とを備え、前記電子機器は、前記画像形成装置によって実行される前記印刷ジョブを示すジョブ情報を取得するジョブ情報取得手段と、前記ジョブ情報取得手段によって取得された前記ジョブ情報に基づくジョブ情報画像を前記撮像デバイスによる撮影画像において前記画像形成装置に対応する位置に合成した合成画像を前記表示デバイスに表示させる拡張現実手段と、前記拡張現実手段によって前記表示デバイスに表示される前記ジョブ情報画像に対して前記入力デバイスによって入力された操作に応じて前記印刷ジョブを複数の前記画像形成装置の間で移動させるジョブ移動手段とを備えることを特徴とする。
【０００７】
この構成により、本発明の画像形成システムは、撮像デバイスによる撮影画像において画像形成装置に対応する位置に合成して表示デバイスに表示されるジョブ情報画像に対して入力デバイスによって入力された操作に応じて印刷ジョブを複数の画像形成装置の間で移動させるので、複数の画像形成装置の間で印刷ジョブを容易に移動させることができる。
【０００８】
また、本発明の画像形成システムにおいて、前記ジョブ情報は、前記画像形成装置による前記印刷ジョブの実行の予定の順番を示しても良い。
【０００９】
この構成により、本発明の画像形成システムは、画像形成装置による印刷ジョブの実行の予定の順番を合成画像に含めるので、印刷ジョブを他の画像形成装置に移動させるか否かを利用者に容易に判断させることができる。
【００１０】
また、本発明の画像形成システムにおいて、前記拡張現実手段は、前記表示デバイスに表示させる前記ジョブ情報画像において、特定の利用者の前記印刷ジョブを他の前記印刷ジョブより大きく表示しても良い。
【００１１】
この構成により、本発明の画像形成システムは、表示デバイスに表示させるジョブ情報画像において利用者の印刷ジョブを他の印刷ジョブより大きく表示するので、利用者の印刷ジョブの移動の操作を容易化することができる。
【００１２】
また、本発明の画像形成システムにおいて、前記拡張現実手段は、前記表示デバイスに表示させる前記ジョブ情報画像において、特定の利用者の前記印刷ジョブより前に前記画像形成装置によって実行される予定の前記印刷ジョブの分量が特定の量以上である場合に、前記特定の利用者の前記印刷ジョブを他の前記印刷ジョブより大きく表示し、前記分量が前記特定の量未満である場合に、前記特定の利用者の前記印刷ジョブを他の前記印刷ジョブより大きく表示することを中止しても良い。
【００１３】
この構成により、本発明の画像形成システムは、利用者の印刷ジョブより前に画像形成装置によって実行される予定の印刷ジョブの分量が特定の量以上である場合のみに、利用者の印刷ジョブを他の印刷ジョブより大きく表示するので、利用者の印刷ジョブが画像形成装置によって実行されるまでの時間が長い場合に、印刷ジョブを他の画像形成装置に移動させることを利用者に容易に判断させることができる。
【００１４】
また、本発明の画像形成システムにおいて、前記分量は、前記特定の利用者の前記印刷ジョブより前に前記画像形成装置によって実行される予定の前記印刷ジョブの実行時間であっても良い。
【００１５】
この構成により、本発明の画像形成システムは、利用者の印刷ジョブが画像形成装置によって特定の時間以上後に実行される場合に、利用者の印刷ジョブを他の印刷ジョブより大きく表示するので、利用者の印刷ジョブが画像形成装置によって実行されるまでの時間が長い場合に、印刷ジョブを他の画像形成装置に移動させることを利用者に容易に判断させることができる。
【００１６】
また、本発明の画像形成システムにおいて、前記入力デバイスは、前記表示デバイスとともにタッチパネルを構成しても良い。
【００１７】
この構成により、本発明の画像形成システムは、タッチパネルに表示されるジョブ情報画像において利用者の印刷ジョブを他の印刷ジョブより大きく表示するので、タッチパネル上で利用者の印刷ジョブに触れることを容易化することができ、利用者の印刷ジョブの移動の操作を容易化することができる。
【００１８】
本発明の拡張現実プログラムは、撮像デバイス、表示デバイスおよび入力デバイスを備える電子機器によって実行される拡張現実プログラムであって、画像形成装置によって実行される印刷ジョブを示すジョブ情報を取得するジョブ情報取得手段、前記ジョブ情報取得手段によって取得された前記ジョブ情報に基づくジョブ情報画像を前記撮像デバイスによる撮影画像において前記画像形成装置に対応する位置に合成した合成画像を前記表示デバイスに表示させる拡張現実手段、および、前記拡張現実手段によって前記表示デバイスに表示される前記ジョブ情報画像に対して前記入力デバイスによって入力された操作に応じて前記印刷ジョブを複数の前記画像形成装置の間で移動させるジョブ移動手段として前記電子機器を機能させることを特徴とする。
【００１９】
この構成により、本発明の拡張現実プログラムは、撮像デバイスによる撮影画像において画像形成装置に対応する位置に合成して表示デバイスに表示されるジョブ情報画像に対して入力デバイスによって入力された操作に応じて印刷ジョブを複数の画像形成装置の間で移動させるので、複数の画像形成装置の間で印刷ジョブを容易に移動させることができる。
【発明の効果】
【００２０】
本発明の画像形成システムおよび拡張現実プログラムは、複数の画像形成装置の間で印刷ジョブを容易に移動させることができる。
【図面の簡単な説明】
【００２１】
【図１】本発明の一実施の形態に係る画像形成システムのブロック図である。
【図２】図１に示すＭＦＰのブロック図である。
【図３】図２に示すジョブ情報の一例を示す図である。
【図４】図１に示すサーバーのブロック図である。
【図５】図１に示す携帯機器のブロック図である。
【図６】印刷データを受信する場合の図２に示すＭＦＰの動作のフローチャートである。
【図７】印刷ジョブを実行する場合の図２に示すＭＦＰの動作のフローチャートである。
【図８】ＭＦＰの位置情報およびジョブ情報を取得する場合の図５に示す携帯機器の動作のフローチャートである。
【図９】拡張現実を実現する場合の図５に示す携帯機器の動作のフローチャートである。
【図１０】ログイン利用者ジョブの先行ジョブの実行時間が特定の時間以上である場合に図５に示す携帯機器によって生成されるジョブ情報画像の一例を示す図である。
【図１１】（ａ）ログイン利用者ジョブが含まれていない場合に図５に示す携帯機器によって生成されるジョブ情報画像の一例を示す図である。  （ｂ）ログイン利用者ジョブの先行ジョブの実行時間が特定の時間未満である場合に図５に示す携帯機器によって生成されるジョブ情報画像の一例を示す図である。
【図１２】ジョブ情報画像を図５に示す携帯機器によって撮影画像に合成した合成画像の一例を示す図である。
【図１３】待機中を示す画像を図５に示す携帯機器によって撮影画像に合成した合成画像の一例を示す図である。
【図１４】複数のＭＦＰの間で印刷ジョブを移動させる場合の図５に示す携帯機器の動作のフローチャートである。
【図１５】（ａ）図１２に示す合成画像に利用者が触れている状態の一例を示す図である。  （ｂ）図１５（ａ）に示す状態からスワイプが実行された状態の一例を示す図である。
【図１６】印刷ジョブが抜き出されている状態で図１３に示す合成画像の対象のＭＦＰが表示部に表示された場合の合成画像の一例を示す図である。
【図１７】（ａ）図１６に示す合成画像に利用者が触れている状態の一例を示す図である。  （ｂ）図１７（ａ）に示す状態からスワイプが実行された状態の一例を示す図である。
【発明を実施するための形態】
【００２２】
以下、本発明の一実施の形態について、図面を用いて説明する。
【００２３】
まず、本実施の形態に係る画像形成システム１０の構成について説明する。
【００２４】
図１は、本実施の形態に係る画像形成システム１０のブロック図である。
【００２５】
図１に示すように、画像形成システム１０は、ＭＦＰ（Ｍｕｌｔｉｆｕｎｃｔｉｏｎ  Ｐｅｒｉｐｈｅｒａｌ）２０を含む複数のＭＦＰと、これら複数のＭＦＰを管理する例えばＰＣ（Ｐｅｒｓｏｎａｌ  Ｃｏｍｐｕｔｅｒ）などのサーバー４０と、例えばスマートフォンなどの携帯機器５０とを備えている。画像形成システム１０の複数のＭＦＰと、サーバー４０と、携帯機器５０とは、ＬＡＮ（Ｌｏｃａｌ  Ａｒｅａ  Ｎｅｔｗｏｒｋ）、インターネットなどのネットワーク１１を介して互いに通信可能に接続されている。携帯機器５０は、本発明の電子機器を構成している。
【００２６】
画像形成システム１０の複数のＭＦＰのそれぞれの構成は、ＭＦＰ２０の構成と同様である。したがって、以下においては、画像形成システム１０の複数のＭＦＰを代表してＭＦＰ２０について説明する。
【００２７】
図２は、ＭＦＰ２０のブロック図である。
【００２８】
図２に示すように、ＭＦＰ２０は、利用者による種々の操作が入力されるボタンなどの入力デバイスである操作部２１と、種々の情報を表示するＬＣＤ（Ｌｉｑｕｉｄ  Ｃｒｙｓｔａｌ  Ｄｉｓｐｌａｙ）などの表示デバイスである表示部２２と、原稿から画像を読み取る読取デバイスであるスキャナー２３と、用紙などの記録媒体に印刷を実行する印刷デバイスであるプリンター２４と、図示していない外部のファクシミリ装置と公衆電話回線などの通信回線経由でファックス通信を行うファックスデバイスであるファックス通信部２５と、ネットワーク１１（図１参照。）経由で外部の装置と通信を行う通信デバイスである通信部２６と、各種のデータを記憶しているＥＥＰＲＯＭ（Ｅｌｅｃｔｒｉｃａｌｌｙ  Ｅｒａｓａｂｌｅ  Ｐｒｏｇｒａｍｍａｂｌｅ  Ｒｅａｄ  Ｏｎｌｙ  Ｍｅｍｏｒｙ）、ＨＤＤ（Ｈａｒｄ  Ｄｉｓｋ  Ｄｒｉｖｅ）などの不揮発性の記憶デバイスである記憶部２７と、ＭＦＰ２０全体を制御する制御部２８とを備えている。
【００２９】
記憶部２７は、ＭＦＰ２０の位置情報２７ａと、ＭＦＰ２０によって実行される印刷ジョブを示すジョブ情報２７ｂと、印刷ジョブの対象の印刷データをＭＦＰ２０による実行の予定の順番で格納するプリントキュー２７ｃとを記憶している。
【００３０】
制御部２８は、例えば、ＣＰＵ（Ｃｅｎｔｒａｌ  Ｐｒｏｃｅｓｓｉｎｇ  Ｕｎｉｔ）と、プログラムおよび各種のデータを記憶しているＲＯＭ（Ｒｅａｄ  Ｏｎｌｙ  Ｍｅｍｏｒｙ）と、ＣＰＵの作業領域として用いられるＲＡＭ（Ｒａｎｄｏｍ  Ａｃｃｅｓｓ  Ｍｅｍｏｒｙ）とを備えている。ＣＰＵは、ＲＯＭまたは記憶部２７に記憶されているプログラムを実行することができる。
【００３１】
図３は、ジョブ情報２７ｂの一例を示す図である。
【００３２】
図３に示すように、ジョブ情報２７ｂは、ＭＦＰ２０による印刷ジョブの実行の予定の順番と、利用者の識別情報としての利用者ＩＤと、印刷ジョブにおける１部当たりの印刷枚数と、印刷ジョブにおける部数とを印刷ジョブ毎に含んでいる。
【００３３】
図４は、サーバー４０のブロック図である。
【００３４】
図４に示すように、サーバー４０は、利用者による種々の操作が入力されるマウス、キーボードなどの入力デバイスである操作部４１と、種々の情報を表示するＬＣＤなどの表示デバイスである表示部４２と、ネットワーク１１（図１参照。）経由で外部の装置と通信を行う通信デバイスである通信部４３と、各種のデータを記憶しているＨＤＤなどの不揮発性の記憶デバイスである記憶部４４と、サーバー４０全体を制御する制御部４５とを備えている。
【００３５】
記憶部４４は、利用者ＩＤと、パスワードとの組み合わせなど、利用者を認証するための認証用情報４４ａを記憶している。また、記憶部４４は、ＭＦＰの位置情報４４ｂと、ＭＦＰによって実行される印刷ジョブを示すジョブ情報４４ｃとを、画像形成システム１０（図１参照。）に含まれるＭＦＰ毎に記憶している。
【００３６】
制御部４５は、例えば、ＣＰＵと、プログラムおよび各種のデータを記憶しているＲＯＭと、ＣＰＵの作業領域として用いられるＲＡＭとを備えている。ＣＰＵは、ＲＯＭまたは記憶部４４に記憶されているプログラムを実行する。
【００３７】
図５は、携帯機器５０のブロック図である。
【００３８】
図５に示すように、携帯機器５０は、種々の操作が入力されるボタンなどの入力デバイスである操作部５１と、種々の情報を表示するＬＣＤなどの表示デバイスである表示部５２と、撮像デバイスである撮像部５３と、無線通信によってネットワーク１１（図１参照。）経由で外部の装置と通信を行う通信デバイスである無線通信部５４と、携帯機器５０の現実空間での現在の位置を検出するＧＰＳ（Ｇｌｏｂａｌ  Ｐｏｓｉｔｉｏｎｉｎｇ  Ｓｙｓｔｅｍ）受信機などの位置検出デバイスである位置検出部５５と、携帯機器５０の現実空間での現在の方向を検出する加速度センサーなどの方向検出デバイスである方向検出部５６と、プログラムおよび各種のデータを記憶しているＨＤＤなどの不揮発性の記憶デバイスである記憶部５７と、携帯機器５０全体を制御する制御部５８とを備えている。
【００３９】
操作部５１は、表示部５２とともにタッチパネルを構成する入力デバイスを含んでいる。
【００４０】
記憶部５７は、制御部５８によって実行される拡張現実（ＡＲ：Ａｕｇｍｅｎｔｅｄ  Ｒｅａｌｉｔｙ）プログラム５７ａを記憶している。拡張現実プログラム５７ａは、携帯機器５０の製造段階で携帯機器５０にインストールされていても良いし、ＵＳＢ（Ｕｎｉｖｅｒｓａｌ  Ｓｅｒｉａｌ  Ｂｕｓ）メモリーなどの外部の記憶媒体から携帯機器５０に追加でインストールされても良いし、ネットワーク１１上から携帯機器５０に追加でインストールされても良い。
【００４１】
制御部５８は、例えば、ＣＰＵと、プログラムおよび各種のデータを記憶しているＲＯＭと、ＣＰＵの作業領域として用いられるＲＡＭとを備えている。ＣＰＵは、ＲＯＭまたは記憶部５７に記憶されているプログラムを実行することができる。
【００４２】
制御部５８は、記憶部５７に記憶されている拡張現実プログラム５７ａを実行することによって、ジョブ情報を取得するジョブ情報取得手段５８ａ、ジョブ情報取得手段５８ａによって取得されたジョブ情報に基づくジョブ情報画像を撮像部５３による撮影画像においてＭＦＰに対応する位置に合成した合成画像を表示部５２に表示させる拡張現実手段５８ｂ、および、拡張現実手段５８ｂによって表示部５２に表示されるジョブ情報画像に対して操作部５１によって入力された操作に応じて印刷ジョブを複数のＭＦＰの間で移動させるジョブ移動手段５８ｃとして機能する。
【００４３】
次に、画像形成システム１０の動作について説明する。
【００４４】
まず、印刷データを受信する場合のＭＦＰ２０の動作について説明する。
【００４５】
図６は、印刷データを受信する場合のＭＦＰ２０の動作のフローチャートである。
【００４６】
利用者が図示していないコンピューターからＭＦＰ２０に印刷データを送信すると、ＭＦＰ２０は、図６に示す動作を実行する。
【００４７】
図６に示すように、ＭＦＰ２０の制御部２８は、送信されてきた印刷データと、この印刷データに関連付けられて送信されてきた利用者の認証用情報とを通信部２６を介して受信する（Ｓ１０１）。
【００４８】
次いで、制御部２８は、Ｓ１０１において受信した認証用情報を通信部２６を介してサーバー４０に送信することによって、利用者の認証をサーバー４０に依頼する（Ｓ１０２）。
【００４９】
ここで、サーバー４０の制御部４５は、ＭＦＰ２０から送信されてきた認証用情報を通信部４３を介して受信すると、受信した認証用情報に基づいて利用者の認証を実行する。具体的には、制御部４５は、受信した認証用情報が記憶部４４上の認証用情報４４ａに含まれている場合に利用者の認証が成功したと判断し、含まれていない場合に利用者の認証が失敗したと判断する。そして、制御部４５は、認証の結果を通信部４３を介してＭＦＰ２０に返信する。
【００５０】
制御部２８は、Ｓ１０２の処理の後、サーバー４０から送信されてきた認証の結果を通信部２６を介して受信すると、受信した結果が認証の成功であるか否かを判断する（Ｓ１０３）。
【００５１】
制御部２８は、認証の成功ではない、すなわち、認証の失敗であるとＳ１０３において判断すると、Ｓ１０１において受信した印刷データを破棄して（Ｓ１０４）、図６に示す動作を終了する。
【００５２】
制御部２８は、認証の成功であるとＳ１０３において判断すると、Ｓ１０１において受信した印刷データをプリントキュー２７ｃの最後に格納し（Ｓ１０５）、Ｓ１０５においてプリントキュー２７ｃに格納した印刷データに関してジョブ情報２７ｂを更新する（Ｓ１０６）。
【００５３】
次いで、制御部２８は、位置情報２７ａおよびジョブ情報２７ｂを通信部２６を介してサーバー４０に送信して（Ｓ１０７）、図６に示す動作を終了する。
【００５４】
サーバー４０の制御部４５は、ＭＦＰ２０からＳ１０７において送信されてきた位置情報およびジョブ情報を通信部４３を介して受信すると、受信した位置情報およびジョブ情報をＭＦＰ２０の位置情報４４ｂおよびジョブ情報４４ｃとして記憶部４４に記憶する。
【００５５】
なお、ＭＦＰ２０は、位置情報２７ａを図６に示す動作とは別の動作によってサーバー４０に送信するようになっていても良い。例えば、ＭＦＰ２０は、位置情報２７ａを定期的にサーバー４０に送信するようになっていても良い。
【００５６】
次に、印刷ジョブを実行する場合のＭＦＰ２０の動作について説明する。
【００５７】
図７は、印刷ジョブを実行する場合のＭＦＰ２０の動作のフローチャートである。
【００５８】
ＭＦＰ２０は、プリントキュー２７ｃに印刷データが格納されている場合に図７に示す動作を実行する。
【００５９】
図７に示すように、ＭＦＰ２０の制御部２８は、プリントキュー２７ｃに格納されている先頭の印刷データに基づいてプリンター２４によって印刷を実行することによって、ジョブ情報２７ｂで示されている１番目の印刷ジョブを実行する（Ｓ１１１）。
【００６０】
次いで、制御部２８は、Ｓ１１１において印刷を実行した印刷データをプリントキュー２７ｃから削除して（Ｓ１１２）、Ｓ１１２においてプリントキュー２７ｃから印刷データを削除したことを反映するためにジョブ情報２７ｂを更新する（Ｓ１１３）。
【００６１】
次いで、制御部２８は、ジョブ情報２７ｂを通信部２６を介してサーバー４０に送信する（Ｓ１１４）。
【００６２】
したがって、サーバー４０の制御部４５は、ＭＦＰ２０からＳ１１４において送信されてきたジョブ情報を通信部４３を介して受信すると、受信したジョブ情報をＭＦＰ２０のジョブ情報４４ｃとして記憶部４４に記憶する。
【００６３】
ＭＦＰ２０の制御部２８は、Ｓ１１４の処理の後、プリントキュー２７ｃに印刷データが格納されているか否かを判断する（Ｓ１１５）。
【００６４】
制御部２８は、プリントキュー２７ｃに印刷データが格納されているとＳ１１５において判断すると、Ｓ１１１の処理を実行する。
【００６５】
制御部２８は、プリントキュー２７ｃに印刷データが格納されていないとＳ１１５において判断すると、図７に示す動作を終了する。
【００６６】
なお、ＭＦＰ２０は、図６に示す動作および図７に示す動作においてジョブ情報２７ｂの全部をサーバー４０に送信せずに、ジョブ情報２７ｂの変更内容のみをサーバー４０に送信するようになっていても良い。そのようになっている場合、サーバー４０は、ＭＦＰ２０から送信されてきた変更内容に基づいて、ＭＦＰ２０のジョブ情報４４ｃを更新することができる。
【００６７】
次に、ＭＦＰの位置情報およびジョブ情報を取得する場合の携帯機器５０の動作について説明する。
【００６８】
図８は、ＭＦＰの位置情報およびジョブ情報を取得する場合の携帯機器５０の動作のフローチャートである。
【００６９】
携帯機器５０の利用者は、拡張現実プログラム５７ａの実行を操作部５１を介して携帯機器５０に指示することができる。携帯機器５０は、拡張現実プログラム５７ａの実行を開始すると、図８に示す動作を実行する。
【００７０】
図８に示すように、携帯機器５０のジョブ情報取得手段５８ａは、利用者に認証用情報の入力を促す画面を表示部５２に表示し（Ｓ１３１）、操作部５１を介して認証用情報が入力されたと判断するまで、操作部５１を介して認証用情報が入力されたか否かを判断する（Ｓ１３２）。
【００７１】
ジョブ情報取得手段５８ａは、認証用情報が入力されたとＳ１３２において判断すると、操作部５１を介して入力された認証用情報を無線通信部５４を介してサーバー４０に送信することによって、利用者の認証をサーバー４０に依頼する（Ｓ１３３）。
【００７２】
ここで、サーバー４０の制御部４５は、携帯機器５０から送信されてきた認証用情報を通信部４３を介して受信すると、受信した認証用情報に基づいて上述したように利用者の認証を実行する。そして、制御部４５は、認証の結果を通信部４３を介して携帯機器５０に返信する。なお、制御部４５は、認証が成功した場合、認証の対象の利用者がログアウトするまで、認証の対象の利用者をログイン中とする。
【００７３】
ジョブ情報取得手段５８ａは、Ｓ１３３の処理の後、サーバー４０から送信されてきた認証の結果を無線通信部５４を介して受信すると、受信した結果が認証の成功であるか否かを判断する（Ｓ１３４）。
【００７４】
ジョブ情報取得手段５８ａは、認証の成功ではない、すなわち、認証の失敗であるとＳ１３４において判断すると、Ｓ１３１の処理を実行する。
【００７５】
ジョブ情報取得手段５８ａは、認証の成功であるとＳ１３４において判断すると、位置検出部５５によって検出された携帯機器５０の位置と、方向検出部５６によって検出された方向に基づいた撮像部５３の撮影方向とに基づいて、撮像部５３の撮影範囲内に存在するＭＦＰの位置情報およびジョブ情報を無線通信部５４を介してサーバー４０に要求する（Ｓ１３５）。
【００７６】
したがって、サーバー４０の制御部４５は、Ｓ１３５において要求されたＭＦＰの位置情報４４ｂおよびジョブ情報４４ｃを通信部４３を介して携帯機器５０に返信する。
【００７７】
そして、ジョブ情報取得手段５８ａは、サーバー４０から送信されてきたＭＦＰの位置情報およびジョブ情報を無線通信部５４を介して受信した後（Ｓ１３６）、特定の期間が経過したとＳ１３７において判断すると、Ｓ１３５の処理を実行する。
【００７８】
なお、携帯機器５０は、以上において、撮像部５３の撮影範囲内に存在するＭＦＰの位置情報およびジョブ情報をサーバー４０に要求するようになっているが、撮影範囲に限らず携帯機器５０の位置から特定の範囲内に存在するＭＦＰの位置情報およびジョブ情報をサーバー４０に要求するようになっていても良いし、サーバー４０が管理している全てのＭＦＰの位置情報およびジョブ情報をサーバー４０に要求するようになっていても良い。
【００７９】
次に、拡張現実を実現する場合の携帯機器５０の動作について説明する。
【００８０】
図９は、拡張現実を実現する場合の携帯機器５０の動作のフローチャートである。
【００８１】
携帯機器５０は、拡張現実プログラム５７ａの実行を開始すると、図９に示す動作を実行する。
【００８２】
図９に示すように、携帯機器５０の拡張現実手段５８ｂは、撮像部５３による撮影画像を表示部５２に表示することを開始する（Ｓ１４１）。
【００８３】
次いで、拡張現実手段５８ｂは、位置検出部５５によって検出された携帯機器５０の位置と、方向検出部５６によって検出された方向に基づいた撮像部５３の撮影方向と、Ｓ１３６において取得されたＭＦＰの位置情報とに基づいて、撮像部５３による撮影画像にＭＦＰが含まれるか否かを判断する（Ｓ１４２）。
【００８４】
拡張現実手段５８ｂは、撮影画像にＭＦＰが含まれるとＳ１４２において判断すると、撮影画像に含まれるＭＦＰのジョブ情報に印刷ジョブが含まれているか否かを、Ｓ１３６において取得されたジョブ情報に基づいて判断する（Ｓ１４３）。
【００８５】
拡張現実手段５８ｂは、印刷ジョブが含まれているとＳ１４３において判断すると、ログイン中の利用者の利用者ＩＤが関連付けられている印刷ジョブ（以下「ログイン利用者ジョブ」と言う。）が、撮影画像に含まれるＭＦＰのジョブ情報に含まれているか否かを判断する（Ｓ１４４）。
【００８６】
拡張現実手段５８ｂは、ログイン利用者ジョブが含まれているとＳ１４４において判断すると、撮影画像に含まれるＭＦＰのジョブ情報において、ログイン利用者ジョブより前にＭＦＰによって実行される予定の印刷ジョブ（以下「先行ジョブ」と言う。）の実行時間が、例えば２分間などの特定の時間以上であるか否かを判断する（Ｓ１４５）。
【００８７】
ここで、拡張現実手段５８ｂは、印刷ジョブにおける１部当たりの印刷枚数と、印刷ジョブにおける部数とを掛け合わせた総印刷枚数を、ＭＦＰの印刷速度で割ることによって、印刷ジョブの実行時間を算出することができる。
【００８８】
例えば、撮影画像に含まれるＭＦＰがＭＦＰ２０であって、ＭＦＰ２０に対してＳ１３６によって受信されている最新のジョブ情報が図３に示すジョブ情報２７ｂと同一であって、ログイン中の利用者の利用者ＩＤがＵＳＥＲ００１である場合、ログイン利用者ジョブは、５番目の印刷ジョブである。そして、１番目の印刷ジョブの総印刷枚数は、１０枚×１部＝１０枚である。同様に、２番目、３番目、４番目の印刷ジョブの総印刷枚数は、それぞれ、２００枚、５枚、２００枚である。したがって、ログイン利用者ジョブの先行ジョブの総印刷枚数は、４１５枚である。ここで、ＭＦＰ２０の印刷速度が２０ｐｐｍ（ｐａｇｅｓ  ｐｅｒ  ｍｉｎｕｔｅ）である場合、ログイン利用者ジョブの先行ジョブの実行時間は、４１５枚÷２０ｐｐｍ＝２０．７５分である。
【００８９】
なお、ＭＦＰの印刷速度は、サーバー４０によってＭＦＰ毎に管理されていてサーバー４０から携帯機器５０に送信されても良いし、携帯機器５０によってＭＦＰ毎に管理されていても良い。
【００９０】
拡張現実手段５８ｂは、特定の時間以上であるとＳ１４５において判断すると、例えば図１０に示すように、ログイン利用者ジョブを他の印刷ジョブより大きくしたジョブ情報画像６０を生成する（Ｓ１４６）。
【００９１】
図１０に示すジョブ情報画像６０において、欄６１〜６５は、それぞれ、印刷ジョブを示している。欄６１〜６５は、下に配置されている欄ほど、ＭＦＰによる実行の順番が早い印刷ジョブを示している。欄６１〜６５には、印刷ジョブにおける１部当たりの印刷枚数と、印刷ジョブにおける部数とが含まれている。欄６１〜６４に示す印刷ジョブは、ログイン利用者ジョブではない。欄６５に示す印刷ジョブは、ログイン利用者ジョブである。欄６５は、欄６１〜６４の何れよりも大きく、欄６１〜６４の何れとも背景色が異なる。欄６５には、ログイン利用者ジョブであることを示す「あなたのＪＯＢ」という文字列が含まれている。一方、欄６１〜６４には、何れの利用者の印刷ジョブであるかを示す情報は含まれていない。
【００９２】
拡張現実手段５８ｂは、ログイン利用者ジョブが含まれていないとＳ１４４において判断するか、特定の時間未満であるとＳ１４５において判断すると、例えば図１１に示すように、全ての印刷ジョブの大きさを揃えたジョブ情報画像を生成する（Ｓ１４７）。
【００９３】
図１１（ａ）は、ログイン利用者ジョブが含まれていない場合のジョブ情報画像７０の一例を示す図である。ジョブ情報画像７０において、欄７１〜７４は、それぞれ、印刷ジョブを示している。欄７１〜７４は、下に配置されている欄ほど、ＭＦＰによる実行の順番が早い印刷ジョブを示している。欄７１〜７４には、印刷ジョブにおける１部当たりの印刷枚数と、印刷ジョブにおける部数とが含まれている。欄７１〜７４に示す印刷ジョブは、ログイン利用者ジョブではない。欄７１〜７４には、何れの利用者の印刷ジョブであるかを示す情報は含まれていない。
【００９４】
図１１（ｂ）は、ログイン利用者ジョブの先行ジョブの実行時間が特定の時間未満である場合のジョブ情報画像８０の一例を示す図である。ジョブ情報画像８０において、欄８１〜８３は、それぞれ、印刷ジョブを示している。欄８１〜８３は、下に配置されている欄ほど、ＭＦＰによる実行の順番が早い印刷ジョブを示している。欄８１〜８３には、印刷ジョブにおける１部当たりの印刷枚数と、印刷ジョブにおける部数とが含まれている。欄８１および８３に示す印刷ジョブは、ログイン利用者ジョブではない。欄８２に示す印刷ジョブは、ログイン利用者ジョブである。欄８２は、欄８１および８３の何れとも背景色が異なる。欄８２には、ログイン利用者ジョブであることを示す「あなたのＪＯＢ」という文字列が含まれている。一方、欄８１および８３には、何れの利用者の印刷ジョブであるかを示す情報は含まれていない。なお、欄８２は、図１０に示すジョブ情報画像６０の欄６５とは異なり、欄８１および８３と同一の大きさである。すなわち、ジョブ情報画像８０は、ジョブ情報画像６０とは異なり、ログイン利用者ジョブを他の印刷ジョブより大きく表示することが中止されている。
【００９５】
拡張現実手段５８ｂは、Ｓ１４６またはＳ１４７においてジョブ情報画像を生成すると、Ｓ１４６またはＳ１４７において生成したジョブ情報画像を撮影画像に合成する（Ｓ１４８）。ここで、拡張現実手段５８ｂは、Ｓ１４６またはＳ１４７において生成したジョブ情報画像を、このジョブ情報画像の対象のＭＦＰに対応する位置に合成する。したがって、表示部５２には、例えば図１２に示すように、Ｓ１４８において生成された合成画像が表示される。
【００９６】
拡張現実手段５８ｂは、印刷ジョブが含まれていないとＳ１４３において判断すると、待機中を示す画像を撮影画像に合成する（Ｓ１４９）。ここで、拡張現実手段５８ｂは、待機中を示す画像を、この画像の対象のＭＦＰに対応する位置に合成する。したがって、表示部５２には、例えば図１３に示すように、Ｓ１４９において生成された合成画像が表示される。
【００９７】
拡張現実手段５８ｂは、撮影画像にＭＦＰが含まれないとＳ１４２において判断するか、Ｓ１４８またはＳ１４９の処理を実行した後、特定の期間が経過したとＳ１５０において判断すると、Ｓ１４２の処理を実行する。
【００９８】
次に、複数のＭＦＰの間で印刷ジョブを移動させる場合の携帯機器５０の動作について説明する。
【００９９】
図１４は、複数のＭＦＰの間で印刷ジョブを移動させる場合の携帯機器５０の動作のフローチャートである。
【０１００】
図１４に示すように、携帯機器５０のジョブ移動手段５８ｃは、表示部５２に表示されているジョブ情報画像に対して、印刷ジョブの抜き出しの操作が操作部５１に入力されたと判断するまで、印刷ジョブの抜き出しの操作が操作部５１に入力されたか否かを判断する（Ｓ１６１）。
【０１０１】
例えば、利用者は、印刷ジョブの抜き出しの操作を図１５に示すように操作部５１に入力することができる。すなわち、図１２に示す合成画像が表示部５２に表示されている場合、利用者は、タッチパネルである表示部５２において、ジョブ情報画像の何れかの欄に相当する領域に図１５（ａ）に示すように触れた後、図１５（ｂ）に示すようにスワイプすることによってジョブ情報画像から欄を抜き出すことができる。
【０１０２】
ジョブ移動手段５８ｃは、印刷ジョブの抜き出しの操作が操作部５１に入力されたとＳ１６１において判断すると、操作部５１によって入力された操作に応じた印刷ジョブの抜き出しを無線通信部５４を介してサーバー４０に要求する（Ｓ１６２）。
【０１０３】
サーバー４０の制御部４５は、Ｓ１６２における携帯機器５０からの要求を通信部４３を介して受信すると、携帯機器５０からの要求に応じて対象のＭＦＰのジョブ情報４４ｃを更新し、携帯機器５０から要求された印刷ジョブの抜き出しを通信部４３を介して対象のＭＦＰに要求する。したがって、対象のＭＦＰの制御部は、サーバー４０からの要求に応じて自身のプリントキューおよびジョブ情報を更新する。なお、対象のＭＦＰの制御部は、自身のプリントキューから抜き出した印刷データを、自身の記憶部上のプリントキュー以外の領域に保持しておく。
【０１０４】
ジョブ移動手段５８ｃは、Ｓ１６２の処理の後、表示部５２に表示されているジョブ情報画像に対して、印刷ジョブの挿入の操作が操作部５１に入力されたと判断するまで、印刷ジョブの挿入の操作が操作部５１に入力されたか否かを判断する（Ｓ１６３）。
【０１０５】
例えば、利用者は、印刷ジョブの挿入の操作を図１６および図１７に示すように操作部５１に入力することができる。すなわち、利用者は、まず、図１５（ｂ）に示すようにジョブ情報画像から欄が抜き出されている状態で、図１３に示す合成画像の対象のＭＦＰが表示部５２に表示されるように携帯機器５０の現実空間での位置および方向を変更することによって、図１６に示す合成画像を表示部５２に表示させる。そして、図１６に示す合成画像が表示部５２に表示されている場合、利用者は、タッチパネルである表示部５２において、ジョブ情報画像から抜き出していた欄に相当する領域に図１７（ａ）に示すように触れた後、図１７（ｂ）に示すようにスワイプすることによって新たなジョブ情報画像に欄を挿入することができる。
【０１０６】
ジョブ移動手段５８ｃは、印刷ジョブの挿入の操作が操作部５１に入力されたとＳ１６３において判断すると、操作部５１によって入力された操作に応じた印刷ジョブの挿入を無線通信部５４を介してサーバー４０に要求し（Ｓ１６４）、Ｓ１６１の処理を実行する。
【０１０７】
サーバー４０の制御部４５は、Ｓ１６４における携帯機器５０からの要求を通信部４３を介して受信すると、携帯機器５０からの要求に応じて対象のＭＦＰのジョブ情報４４ｃを更新し、携帯機器５０から要求された印刷ジョブの挿入を通信部４３を介して、対象のＭＦＰと、印刷ジョブを抜き出していたＭＦＰとに要求する。したがって、印刷ジョブを抜き出していたＭＦＰは、自身のプリントキューから抜き出していた印刷データを対象のＭＦＰに送信する。また、対象のＭＦＰの制御部は、サーバー４０からの要求に応じて自身のジョブ情報を更新するとともに、印刷ジョブを抜き出していたＭＦＰから送信されてきた印刷データを自身のプリントキューに挿入する。
【０１０８】
なお、以上においては、ジョブ情報画像から欄を抜き出した後、携帯機器５０の現実空間での位置および方向を変更しているが、１つの合成画像内に、印刷ジョブの移動元のＭＦＰと、移動先のＭＦＰとが含まれている場合には、携帯機器５０の現実空間での位置および方向を変更する必要がない。
【０１０９】
以上に説明したように、画像形成システム１０は、撮像部５３による撮影画像においてＭＦＰに対応する位置に合成して表示部５２に表示されるジョブ情報画像に対して操作部５１によって入力された操作に応じて印刷ジョブを複数のＭＦＰの間で移動させるので、複数のＭＦＰの間で印刷ジョブを容易に移動させることができる。
【０１１０】
画像形成システム１０は、ＭＦＰによる印刷ジョブの実行の予定の順番を合成画像に含めるので、印刷ジョブを他のＭＦＰに移動させるか否かを利用者に容易に判断させることができる。
【０１１１】
画像形成システム１０は、表示部５２に表示させるジョブ情報画像においてログイン利用者ジョブを他の印刷ジョブより大きく表示する（Ｓ１４６およびＳ１４８）ので、ログイン利用者ジョブの移動の操作を容易化することができる。
【０１１２】
特に、画像形成システム１０は、タッチパネルである表示部５２に表示されるジョブ情報画像においてログイン利用者ジョブを他の印刷ジョブより大きく表示するので、タッチパネル上でログイン利用者ジョブに触れることを容易化することができ、ログイン利用者ジョブの移動の操作を容易化することができる。
【０１１３】
また、画像形成システム１０は、タッチパネルである表示部５２上でログイン利用者ジョブの移動の操作を実行することができるので、タッチパネルを備えていないＭＦＰに対しても印刷ジョブの移動の操作を容易化することができる。
【０１１４】
なお、画像形成システム１０は、表示部５２がタッチパネルではない場合であっても、表示部５２に表示された印刷ジョブに対して移動の操作を実行することができる。
【０１１５】
画像形成システム１０は、ログイン利用者ジョブの先行ジョブの分量が特定の量以上である場合のみに（Ｓ１４５でＹＥＳ）、ログイン利用者ジョブを他の印刷ジョブより大きく表示するので、ログイン利用者ジョブがＭＦＰによって実行されるまでの時間が長い場合に、ログイン利用者ジョブを他のＭＦＰに移動させることを利用者に容易に判断させることができる。
【０１１６】
特に、画像形成システム１０は、ログイン利用者ジョブがＭＦＰによって特定の時間以上後に実行される場合に、ログイン利用者ジョブを他の印刷ジョブより大きく表示するので、ログイン利用者ジョブがＭＦＰによって実行されるまでの時間が長い場合に、ログイン利用者ジョブを他のＭＦＰに移動させることを利用者に容易に判断させることができる。
【０１１７】
なお、画像形成システム１０は、ログイン利用者ジョブの先行ジョブの分量として、印刷ジョブの実行時間以外の分量が採用されても良い。例えば、画像形成システム１０は、ログイン利用者ジョブの先行ジョブの総印刷枚数や、ログイン利用者ジョブの先行ジョブのジョブ数が、ログイン利用者ジョブの先行ジョブの分量として採用されても良い。
【０１１８】
画像形成システム１０は、ログイン利用者ジョブの先行ジョブの分量が特定の量以上であるか否かに関わらず、ログイン利用者ジョブを他の印刷ジョブより大きく表示しても良い。利用者は、自身の印刷ジョブが他の印刷ジョブより大きく表示されていれば、例えば自身の印刷ジョブが優先的に印刷されるように、印刷ジョブの移動の操作を容易に実行することができる。
【０１１９】
なお、画像形成システム１０は、携帯機器５０に表示されるジョブ情報画像を携帯機器５０自身で生成するようになっているが、サーバー４０によって生成されるようになっていても良い。
【０１２０】
画像形成システム１０は、本実施の形態において、拡張現実の方法として、位置情報に基づいたロケーションベースＡＲが採用されているが、画像処理に基づいたビジョンベースＡＲが採用されていても良い。
【０１２１】
画像形成システム１０は、サーバー４０の機能の少なくとも一部を複数のＭＦＰの少なくとも１つによって実現しても良い。画像形成システム１０は、サーバー４０の機能の全部を複数のＭＦＰの少なくとも１つによって実現する場合、サーバー４０を備えていなくても良い。例えば、画像形成システム１０は、各ＭＦＰと、携帯機器５０とが情報のやり取りを直接実行するようになっていても良い。
【０１２２】
画像形成システム１０は、本実施の形態において、本発明の電子機器として携帯機器を備えているが、ＰＣなど、携帯機器以外の電子機器を本発明の電子機器として備えていても良い。
【０１２３】
画像形成システム１０は、本実施の形態において、本発明の画像形成装置としてＭＦＰを備えているが、プリンター専用機など、ＭＦＰ以外の画像形成装置を本発明の画像形成装置として備えていても良い。
【符号の説明】
【０１２４】
１０  画像形成システム
２０  ＭＦＰ（画像形成装置）
２７ｂ  ジョブ情報
４４ｃ  ジョブ情報
５０  携帯機器（電子機器）
５１  操作部（入力デバイス）
５２  表示部（表示デバイス）
５３  撮像部（撮像デバイス）
５７ａ  拡張現実プログラム
５８ａ  ジョブ情報取得手段
５８ｂ  拡張現実手段
５８ｃ  ジョブ移動手段
６０、７０、８０  ジョブ情報画像
【図１】
0006304497.tif 000002
【図２】
0006304497.tif 000003
【図３】
0006304497.tif 000004
【図４】
0006304497.tif 000005
【図５】
0006304497.tif 000006
【図６】
0006304497.tif 000007
【図７】
0006304497.tif 000008
【図８】
0006304497.tif 000009
【図９】
0006304497.tif 000010
【図１０】
0006304497.tif 000011
【図１１】
0006304497.tif 000012
【図１２】
0006304497.tif 000013
【図１３】
0006304497.tif 000014
【図１４】
0006304497.tif 000015
【図１５】
0006304497.tif 000016
【図１６】
0006304497.tif 000017
【図１７】
0006304497.tif 000018